(57)【要約】【課題】  メダル使用の遊技機のメダルが手元に残った場合にメダルをゲームセンタ等に設置されたメダル預り機によって効率的にメダル預かりおよび管理を可能とする。【解決手段】  メダルを挿入するメダル預け口２と、メダルを計数するための１台もしくは複数台の計数ホッパ１１と、メダルの真偽を判別するメダル判定手段を有する１台もしくは複数台の振分ホッパ１３を有し、振分ホッパ１３のメダル判定手段に基づいてメダルの真偽を判別し振分けられ、それらのメダルを振分けて収容するメダルボックス１４を具備する。【選択図】    図５
2006065487.tif 000002
【特許請求の範囲】
【請求項１】
メダルを投入するメダル預け口（２）と、前記メダル預け口（２）に投入されたメダルを計数する計数ホッパ（１１）と、前記計数ホッパ（１１）から払い出されたメダルを受け入れ、受け入れたメダルの真偽を判断して、正規メダルと不正メダルとに分別して払い出す振分けホッパ（１３）と、前記振分けホッパ（１３）からのメダルを受け入れる正規メダルボックス（１４ａ）と不正メダルボックス（１４ｂ）を具備することを特徴とするメダル預け機。
【請求項２】
前記計数ホッパ及び振分けホッパが複数であり、１台の前記計数ホッパと１台の前記振分けホッパが対をなしていることを特徴とする請求項１に記載のメダル預け機。
【請求項３】
メダルの計数後にメダルの合計枚数を表示するためのディスプレーを有することを特徴とする請求項１に記載のメダル預け機。
【請求項４】
メダルの計数者を確認するための認証用カードを挿入するためのカード挿入口を有することを特徴とする請求項１に記載のメダル預け機。
【請求項５】
メダルボックスは、メダルが振分けホッパによって正規のメダルと不正メダルとに振分けた後に正規のメダルが収容される容器側と不正メダルが収容される容器側とにメダルボックス内部で区分されていることを特徴とする請求項１に記載のメダル預け機。
【請求項６】
メダル預け口の底部とメダルが計数ホッパに移送されるためのメダル通路の入口との間にシャッターを有することを特徴とする請求項１乃至２に記載のメダル預け機。
【請求項７】
ホストコントローラーより送られた動作ポーリングコマンドを受けたメダル計数機制御部は、計数ホッパ及び振分けホッパの動作を監視し、前記メダル計数機制御部は監視信号をホストコントローラへ返送することを特徴とする請求項１に記載のメダル預け機。
【発明の詳細な説明】
【技術分野】
【０００１】
本発明は、メダル遊技機でプレイし、メダルが手元に残ったとき後日そのメダルに相当する数のメダルを受け取ることを可能にするためにそのメダルを預けておくためのメダル預け機に関するものである。
【背景技術】
【０００２】
従来、円板状メダルを預かり、尚且つ払い出す装置としてのメダル預け及び払出し共用機が知られている。この装置は図１０に示すように預入部８１と払出部８０を備えている。
【０００３】
預入部８１は、メダル投入口から投入されたメダルを預け入れるものであり、この預入部８１は、預け入れ計数器８５と、受入れストック８６から構成されている。預け入れ計数器８５は、預け入れたメダルを計数する。受入れストック８６は、預け入れ計数器８５で計数した後のメダルを受け入れて、所定量ストックする。
【０００４】
また、払出部８０は、処理部からの払出信号によりメダルをメダル払出口へ払い出す。この払出部８０は、払い出しストック８２と、搬送ベルトコンベア８３及び払い出し計数器８４とから構成されている。
【０００５】
払い出しストック８２は、受入れストック８６から搬送用ベルトコンベア８７とメダルリフト８８を介して搬送されたメダルを払出用としてストックする部分である。搬送ベルトコンベア８３は、払い出しストック８２から払い出し計数器８４への搬送量を制御する部分である。払い出し計数器８４は、払い出すメダルを計数しながらメダルをメダル払出口へ払い出す（例えば、特許文献１）。
【０００６】
【特許文献１】特開２００２−１２６１７７号公報（８頁、図４）
【発明の開示】
【発明が解決しようとする課題】
【０００７】
上述した装置は、預入部８１の預け入れ計数器８５で預け入れたメダルを計数することは行なっているが、預け入れたメダルの真偽を確認することは行なっていないため、他店のメダルが混在することがある。他店のメダルが混入した場合、同一直径であっても厚みが異なることがある。例えば、他店メダルが厚い場合、遊技機内で使用しているメダルの通路に詰まってしまうという問題がある。
【０００８】
また、上述したメダル預け及び払出し共用機は、本体に内蔵されている計数器８４もしくは８５が故障すると、装置全体が停止して機能しなくなり、メダル預け及び払出しができなくなってしまうという問題が生じていた。
本発明の目的は、預け入れ機にメダルを受け入れる際にメダルの真偽を判別し、他店のメダルを排除できるようにすることを目的とする。
本発明の他の目的は、メダルの計数機が故障しても使用を継続できるメダル預け機を提供することを目的とする。
【課題を解決するための手段】
【０００９】
本発明によるメダル預け機は、請求項１の記載によれば、メダルを投入するメダル預け口と、前記メダル預け口に投入されたメダルを計数する計数ホッパと、前記計数ホッパから払い出されたメダルを受け入れ、受け入れたメダルの真偽を判断して、正規メダルと不正メダルとに分別して払い出す振分ホッパと、前記振分ホッパからのメダルを受け入れる正規メダルボックスと不正メダルボックスを具備することを特徴とする。
【００１０】
また、請求項２の記載によれば、前記計数ホッパ及び振分けホッパが複数であり、１台の前記計数ホッパと１台の前記振分けホッパが対をなしていることを特徴とする。
【００１１】
請求項３の記載によれば、メダルの計数後にメダルの合計枚数を表示するためにディスプレーを有することを特徴とする。
【００１２】
更に、請求項４の記載によれば、メダルの計数者を確認するための認証用カードを挿入するためのカード挿入口を有することを特徴とする。
【００１３】
更に、請求項５の記載によれば、メダルボックスは、メダルが振分けホッパによって正規のメダルと不正メダルとに振分けた後に正規のメダルが収容される容器側と不正メダルが収容される容器側とにメダルボックス内部で区分されていることを特徴とする。
【００１４】
更に、請求項６の記載によれば、メダル預け口の底部とメダルが計数ホッパに移送されるためのメダル通路の入口との間にシャッターを有することを特徴とする。
【００１５】
更に、請求項７の記載によれば、ホストコントローラーより送られた動作ポーリングコマンドを受けたメダル計数機制御部は、計数ホッパ及び振分けホッパの動作を監視し、前記メダル計数機制御部は監視信号をホストコントローラへ返送することを特徴とする。
【発明の効果】
【００１６】
本発明によれば、計数ホッパは、メダル預け口に投入されたメダルを計数する。振分けホッパは、前記計数ホッパから払い出されたメダルを受け入れ、受け入れたメダルの真偽を判断して、正規なメダルと不正メダルとに選択する。選別されたメダルは、正規メダルボックスと不正メダルボックスにそれぞれ保留される。従って、遊技機には正規メダルボックスに保留されたメダルを供給すればメダル詰まりを生じることがないという効果が得られる。
【００１７】
計数ホッパ１１と振分けホッパ１３とを個別に装備することにより、計数ホッパ１１でメダルを高速計数し、その後振分けホッパ１３で計数ホッパ１１の処理時間よりも時間をかけてメダルの真偽を判別し、振分けができる。換言すれば、メダルの真偽判別するには、メダルを電磁気的に検出し、又は画像として取り入れねばならず単に計数する場合に比し多くの時間を要する。
計数と振分けを１つのホッパで行った場合、その処理速度は振分け速度に依存するため、高速計数できず利用者に不便をかける。計数、振分けのように計数ホッパと振分けホッパに分けた場合、計数ホッパで高速計数できるので利用者に不便をかけることがない。
【００１８】
計数ホッパと振分けホッパの組が複数組設けられているため、１組のホッパのいずれかが故障した場合であっても、他の組の計数ホッパと振分けホッパとがメダルを計数し選別できる。換言すれば、メダルの処理能力は低下するがメダルを預け入れることができる。
【発明を実施するための最良の形態】
【００１９】
メダル預け口に投入されたメダルは、計数ホッパのヘッドに保留される。保留されたメダルは、計数ホッパで計数され、払い出される。払い出されたメダルは、メダル通路を落下し振分けホッパのヘッドへ保留される。保留されたメダルは、振分けホッパによって真偽を判断して、正規メダルと不正メダルとに分別して、メダルを正規メダルボックスと不正メダルボックスに受け入れるようにした。
【実施例１】
【００２０】
以下、本発明に係るメダル預け機の実施の形態につき図面に基づいて詳細に説明する。
図１は、本発明の一実施例のメダル預け機全体を示す斜視図である。
図１に示すように、本発明に係るメダル預け機は、箱形の本体１の天板中央に位置するメダル預け口２と本体１の１側壁を構成する扉を本体１にロックする扉鍵３とメダルの計数値を表示するディスプレー４およびメダルの預け者を認証確認するために認証用のカードを挿入するためのカード挿入口５と、暗証番号を入力するためのテンキーボタン６と、カード返却ボタン７と、メダル預け口２に設けられたスライド蓋８と、電源ランプ９を有している。
【００２１】
なお、スライド蓋８おいては、本体１内部の前面位置の上面部に図示しない光センサが設けられており、スライド蓋８が完全に閉じられたかどうかを検出している。スライド蓋８が完全に閉じられた時に光センサがON状態となり、各装置が動作可能な待機状態となる。
【００２２】
図２〜図５を参照して、メダル預け機について説明する。
図４、図５に示すように、メダル預け機は、計数ホッパ１１と、振分けホッパ１３と、メダルボックス１４と、制御部１５と、電源部１６と、シャッター２０から構成されている。また、計数ホッパ１１と振分けホッパ１３の上部には、メダルをばら積み状態で保留するヘッド１０、１２が篏着されている。
また、上記メダルボックス１４は、振分けホッパ１３によって振分けられた正規メダルを収容する正規メダルボックス１４ａと不正メダルを収容される不正メダルボックス１４ｂとにメダルボックス１４の内部で区分されている。
更に、制御部１５と通信を行なう集中管理用のホストコントローラ１７が、外部に装備されている。
【００２３】
メダル預け者によってメダルの収容箱に入っているバラ積みされたメダルが、メダル預け機のメダル預け口２に投入されたメダルは、垂直に伸びたメダル通路３０に案内され計数ホッパ１１の筒形のヘッド１０に保留される。なお、メダル計数中に誤って指などを計数機に入れないように、メダル預け口２には危険防止用のスライド蓋８を装備している。また、メダル預け口２の底部とメダルが計数ホッパ１１の筒形のヘッド１０に落下されるためのメダル通路３０の入口との間にシャッター２０が設けられている。
【００２４】
上述の計数ホッパ１１のヘッド１０は、円筒形ケース６５に嵌着されており、メダルはヘッド１０よりメダル受孔６３内に入ってメダル送り円板６６の回転にともなって、出口案内部材６４に押しつけられることによってメダルが進行方向に推し進められる構成になっている。次にメダルは、送り羽根６０によって送り出され、メダルの通路に沿ってカウトローラ６８ａ、６８ｂを移動させる。これによりカウントローラ６８ａ、６８ｂに取り付けられているレバー６９ａ、６９ｂが近接スイッチ６１、６２にそれぞれ近接する。この近接により両近接スイッチ６１、６２はパルス信号を出力する。このパルス信号によりメダルが１つ払い出されたことを検知する。そして、メダル投出シュート６７を経てメダルが投出される。
【００２５】
計数ホッパ１１で計数されたメダルは、メダル通路４０を落下し振分けホッパ１３のヘッド１２へ保留される。振分けホッパ１３は、メダル判定手段７２を有しており、その判定手段７２は、検出コイルであり、図示しない発信器が接続されており、メダルが判定手段７２に近づくと、判定手段７２である検出コイルのインピーダンスが変化し、結果として、発信器の発信周波数と発信レベルが変化する。この変化は、円板体であるメダルの直径、厚みおよび材質によって異なる。したがって、この変化分を、あらかじめ記憶されている、正規メダルの基準値データと比較することによって、通過するメダルが正規メダルか否か判定することが可能となる。
なお、直径と厚み、または直径と材質との組み合わせにより正規メダルと不正メダルを選別してもよい。
また、判定手段７２は、検出コイルに係わらず光学式、音波式、その他の手段を用いてもメダルの真偽の判定が可能である。
【００２６】
次に、振分けホッパ１３に取り込まれたメダルは、メダル送り円板６６よりも低速回転する回転ディスク７７の三個の貫通孔７０内に落下し、ディスク７７下面の突起（図示略）によって、ベース部７６上をスライドして、二個の規制ピン７８によりメダルは一個づつ、通路７９に強制的に押し出されることになる。
【００２７】
通路７９に押し出されたメダルは、ワイパ７４の羽根によって、払い出される。このときに、判定手段７２においてメダルの真偽が判定されることになる。
【００２８】
判定手段７２を通過したメダルが、正規なメダルの場合には、図示しないソレノイドのプランジャが動作して、ゲート７３が上昇して開口し、この開口内に正規メダルが送り込まれて放出口７５より放出される。放出された正規メダルは、正規メダル通路５０ａを落下し、メダルボックス１４内部の正規メダルボックス１４ａに貯留される。
【００２９】
判定手段７２を通過したメダルが、不正メダルの場合には、図示しないソレノイドのプランジャが動作せず、ゲート７３がそのままであるため、不正メダルは、排除口７１から放出される。放出された不正メダルは、不正メダル通路５０ｂを通り、メダルボックス１４内部の不正メダルボックス１４ｂに貯留される。
【００３０】
すなわち、店ごとに種々のメダルを大量に使用しているが、いわゆるメダル・ゲーム装置のメダルが他店のものと混在していたとしても、振分けホッパ１３によって、本来の店のメダルと他店のメダルとをメダルの判定手段に基づいて、振分けを行なうことができる。よって、メダルゲーム機には、正規メダルボックス１４ａに保留されたメダルを補給することにより、他店のメダルの使用を未然に防止できるという大きな効果が得られることになる。結果として、メダルゲーム機におけるメダル詰まりを防止できる。
【００３１】
このようにして、ゲームセンタなどでメダルを使用する遊技機用のメダルで遊んだ後、メダルが手元に残ったときにそのメダルを預けておくことができる。また、預けたメダルの枚数は、本体１のディスプレイ４に表示されるため、メダル預け機への預け者は、何枚のメダルを預けたか確認できる。
【００３２】
図示した電源部１６は、少なくとも計数ホッパ１１や振分けホッパ１３の駆動用電源として用いられる。また、制御部１５用の電子回路駆動電源としても使用される。
【００３３】
次に図６のメダル預り機の動作フローチャート図を参照してメダル預け機の動作を説明する。
まず最初に、メダルの預け者を認証確認するために認証用のカードを挿入するカード挿入口５へ認証用カードを挿入した後、預け者の暗証番号をテンキーボタン６にて入力する。ここで、認証を暗証番号としたが、指紋や眼紋、声紋などの情報や、又は、それらを適宜組み合わせてもよい。
続いてメダルの収容箱に入っているバラ積みされたメダルをメダル預け口２に移し入れる。それからスライド蓋８を完全に閉じる（Ｓ１０）。スライド蓋８の開閉は、光センサによって監視されている。ステップ１０でスライド蓋８が全閉されるまでステップ１１には進行しない。スライド蓋８を完全に閉じて（Ｓ１０）計数準備を行なった後、ホストコントローラ１７から計数コマンドをメダル計数機制御部１５へ送信する（Ｓ１）。メダル計数機制御部１５において、ステップＳ１の計数コマンドを受信すると計数ホッパを起動（Ｓ１１）して、メダル計数処理（Ｓ１２）を行なう。つまり、ステップＳ１２では、メダル預け口２に投入したメダルの数を一枚ずつ正確に計数ホッパ１１で計数している処理を実行している。
よって、預けたメダルのメダル枚数が、本体１のディスプレイ４に表示される。従って、メダル預け機の預け者は、何枚のメダルを預けたか確認できる。メダル預けを終了した預け者は、カード返却ボタン７を押して認証用カードを受け取る。
【００３４】
ホストコントローラ１７は、次に動作ポーリングコマンドをメダル計数機制御部１５へ送信する（Ｓ２）。メダル計数機制御部１５において、ステップＳ２の動作ポーリングコマンドを受信すると、ポーリングコマンド受信時のメダル計数値と、計数ホッパ１１の近接センサエラーの信号を制御部１５で監視する（Ｓ１３）。エラー信号を制御部１５で受信すると本体１に設けてあるディスプレー４にエラー表示され、計数ホッパーの動作を停止する。
【００３５】
ステップＳ１４において、制御部１５とホストコントローラ１７とは通信手段によって接続されているためホストコントローラ１７へ制御部１５から監視信号が送信される（Ｓ１４）。そのシリアル信号を動作状態データとしてホストコントローラ１７は受信する（Ｓ３）。
【００３６】
メダル計数機制御部１５のメダル計数終了のステップＳ１５では、メダルの計数処理を全メダルを計数終了するまでステップＳ１２からステップＳ１５までを循環ループとして繰り返し行なう。
【００３７】
計数処理の終了は、ある定めた数秒間の間、計数ホッパ１１の近接センサ６１、６２がＯＮしない場合、全メダルの計数を終了したとみなす（Ｓ１５）。全メダルの計数処理が終了すると、メダル計数機制御部１５は、計数の終了の信号として、計数ホッパ１１によるメダルのメダル計数データをホストコントローラ１７へ送信し（Ｓ１６）、ホストコントローラ１７は、そのデータをメダル計数データとして受信する（Ｓ４）。
【００３８】
続いて、ホストコントローラ１７は、振分けコマンドをメダル計数機制御部１５へ送信する（Ｓ５）。メダル計数機制御部１５において、ステップＳ５の振分けコマンドを受信すると振分けホッパ１３を起動（Ｓ１７）する。
【００３９】
ステップＳ１７で振分けホッパ１３が起動した後にメダル振分け処理（Ｓ１８）を実行する。つまり、ステップＳ１８では、計数ホッパ１１より払出されたメダルを前述したメダルの直径、厚みおよび材質による発信周波数と発信レベルの変化分を、あらかじめ記憶されている、正規メダルの基準値データと比較することによって、通過するメダルが正規メダルか否か判定することが可能となる。すなわち、判定手段により記憶させたメダルのみを正規なメダルとして判定する処理を一枚ずつ実行する。
【００４０】
振分けホッパ１３によってメダルが正規なものであるか否かを判断しつつメダルを振分け、正規なメダルであればメダルボックス１４の内部で区分してある正規メダルボックス１４ａへ収容し、もしくは、メダルへの判断が正規なメダルでないとの判断結果においては、メダルボックス１４内の不正メダルボックス１４ｂへ収容される。
【００４１】
ホストコントローラ１５は、振分けホッパにおいても次に動作ポーリングコマンドをメダル計数機制御部１５へ送信する（Ｓ６）。前述同様にメダル計数機制御部１５において、ステップＳ６の動作ポーリングコマンドを受信すると、振分けホッパ１３の磁気センサエラーと、モータが駆動しているにもかかわらず振分けされない場合の振分けエラー等のこれらの信号を制御部１５で監視する（Ｓ１９）。
なお、前述のモータが駆動しているにもかかわらず振分けされない場合の振分けエラーの監視は、モータの軸に設けてあるワイパ７４の羽根の回転を図示せぬ光センサで監視しており、モータが駆動しているのにワイパ７４の羽根が回っていないとエラーとなる。つまり、所定時間の間に次の信号が入らないからワイパ７４の羽根が回っていないのがわかる。各エラー信号が制御部１５で受信されると本体１に設けてあるディスプレー４にエラー表示され、振分けホッパーの動作を停止する。
【００４２】
ステップＳ２０において、制御部１５とホストコントローラ１７とは通信手段で接続されているためホストコントローラ１７へ制御部１５から通信手段を介して監視信号が送信される（Ｓ２０）。その信号を動作状態データとしてホストコントローラ１７は受信する（Ｓ７）。
【００４３】
メダル計数機制御部１５のメダル振分け終了のステップＳ２１では、メダルの振分け処理を全メダルの振分けが終了するまでステップＳ１８からステップＳ２１までを循環ループとして繰り返し行なう。
【００４４】
振分け処理の終了は、ある定めた数秒間の間、振分けホッパ１３の判断手段７２がＯＮしない場合、全メダルの振分けを終了したと判断する（Ｓ２１）。全メダルの振分け処理が終了すると、メダル計数機制御部１５は、メダル振分けデータとして、振分けホッパ１３によるメダルの振分けの終了を知らせる信号をホストコントローラ１７へ送信し（Ｓ２２）、ホストコントローラ１７は、その信号をメダル振分けデータとしての正規メダル枚数を受信する（Ｓ８）。
【００４５】
メダル計数機制御部１５は、メダル振分けデータの送信（Ｓ２２）を終了すると、メダル預り機の全工程は終了する（Ｓ２３）。それと共にホストコントローラ１７が、メダル計数機制御部１５からメダル振分けデータを受信するとホストコントローラ１７はメダル預け機の次の処理の待機状態となる（Ｓ９）。
【００４６】
計数ホッパ１１において、メダルはヘッド１０よりメダル受孔６３内に入りメダル送り円板６６の回転によって、出口案内部材６４に押しつけられながらメダルが進行方向に推し進められる。次にメダルは、送り羽根６０により送り出され、メダル通路に沿ってカウトローラ６８ａ、６８ｂを移動させる。そこでカウントローラ６８ａ、６８ｂに取着されているレバー６９ａ、６９ｂが近接スイッチ６１、６２に近接し、この近接により両近接スイッチ６１、６２はパルス信号を出力する。このパルス信号によりメダルが１つ払い出されたことを検知する。これにより、メダルの枚数を計数している。
次に、振分けホッパの判断手段７２においてメダルの真偽が判定されることになる。  判断手段７２を通過したメダルが、正規なメダルの場合には、ゲート７３が上昇して開口し、この開口内に正規メダルが送り込まれて放出口７５より放出される。放出された正規メダルは、正規メダルボックス１４ａに貯留される。
【実施例２】
【００４７】
以下に図７〜図９を用いて、メダル預け機の第２実施例について詳細に説明する。
図９の計数ホッパ１１ａ、１１ｂ、１１ｃおよび振分けホッパ１３ａ、１３ｂ、１３ｃの基本動作は、第１実施例で説明したことと同一であるので説明を省略する。更に、スライド蓋８の機能及び図６のフローの流れは、第１実施例と同一であるため説明を省略する。
【００４８】
第２実施例では、複数の計数ホッパ１１と複数の振分けホッパ１３を有する構成である。図示においては、計数ホッパ１１と振分けホッパ１３を共に３台とした。
３台の計数ホッパ１１ａ、１１ｂ、１１ｃは、同時に動作し、同時に処理を行なう。また、３台の振分けホッパ１３ａ、１３ｂ、１３ｃも同様である。
【００４９】
メダル預け口２の底部とメダルが計数ホッパ１１ａ、１１ｂ、１１ｃのメダル収容器のヘッド１０ａ、１０ｂ、１０ｃに移送されるためのメダル通路３０ａ、３０ｂおよび３０ｃの入口との間に計数ホッパ１１ａ、１１ｂ、１１ｃに対応したメダル通路３０ａ、３０ｂおよび３０ｃと同数のシャッター２０ａ、２０ｂ、２０ｃが設けられており、複数台の計数ホッパ１１と同じ数だけシャッター２０が存在している。つまり、バラ積みされたメダルをメダル預け口２に投入すると、それらのメダルは、複数台の計数ホッパ１１の各ヘッド１０へ分配されて、それぞれの計数ホッパ１１ａ、１１ｂ、１１ｃの各ヘッド１０ａ、１０ｂ、１０ｃへメダル通路３０ａ、３０ｂおよび３０ｃに落下してメダルが各ヘッド１０ａ、１０ｂ、１０ｃへ保留される構造となっている。
【００５０】
計数ホッパ１１ａ、１１ｂ、１１ｃでメダルを計数して、メダルが投出シュート６７を経て投出されると、メダルは、メダル通路４０ａ、４０ｂ、４０ｃを落下し振分けホッパ１３ａ、１３ｂ、１３ｃのヘッド１２ａ、１２ｂ、１２ｃへ払出される。
【００５１】
その後メダルは、振分けホッパ１３ａ、１３ｂ、１３ｃの上述したメダル判定手段において、メダルが正規メダルか否か判定される。次に、振分けホッパ１３に確保されたメダルは、一個ずつ、通路７９に強制的に押し出される。通路７９に押し出されたメダルは、ワイパ７４の羽根によって、払い出される。このときに、上述したと同様に判断手段７２においてメダルの真偽が判定されることになる。
【００５２】
判断手段７２を通過したメダルが、正規なメダルの場合には、放出口７５より放出される。放出された正規メダルは、正規メダル通路５０ａを通り、メダルボックス１４内部の正規メダルボックス１４ａに貯留される。
【００５３】
判断手段７２を通過したメダルが、不正メダルの場合には、排除口７１から放出される。放出された不正メダルは、不正メダル通路５０ｂを通り、メダルボックス１４内部の不正メダルボックス１４ｂに貯留される。
【００５４】
上述した通り、すなわち、振分けホッパ１３によって、本来の店のメダルと他店のメダルとをメダルの判定手段に基づいて、振分けを行なう。
【００５５】
尚、シャッター２０ａ、２０ｂ、２０ｃの状態は、複数台の計数ホッパ１１や振分けホッパ１３の全数が故障無く正常な状態であるならば、シャッター２０は、全シャッター２０ａ、２０ｂ、２０ｃが全開している状態となる。
しかし、複数台の計数ホッパ１１や振分けホッパ１３の内で或る計数ホッパ１１や振分けホッパ１３が故障状態であった場合には、その故障状態であるホッパの個所のシャッター２０ａ、２０ｂ、２０ｃの一部のシャッターが閉じられメダルが故障状態であるホッパへ落下して行かないようにされる。つまり、シャッター２０でメダルの供給を阻止する構造となっている。
シャッター２０は、手動で開閉しているが、ソレノイドや電動モータあるいはシリンダー等を利用し、自動的に開閉するようにしてもよい。
【００５６】
このようにして、ゲームセンタなどでメダルを使用する遊技機用のメダルで遊んだ後、メダルが手元に残ったメダルを預けておくことができる。
【産業上の利用可能性】
【００５７】
メダル使用の遊技機でメダルを使用して楽しんだ後に手元に残ったメダルをゲームセンタ等に設置されたメダル預り機によって預かり、管理されることにおいて効率的なメダル管理を可能としている。
【図面の簡単な説明】
【００５８】
【図１】図１は、本発明の一実施例のメダル預け機全体を示す斜視図である。
【図２】図２は、本発明の第１実施例の構成を示すブロック図である。
【図３】図３は、本発明の第１実施例の構成を示す内部正面図である。
【図４】図４は、内部側面図である。
【図５】図５は、本発明の第１実施例の構成の詳細を示す構造図である。
【図６】図６は、メダル預け機の動作フローチャート図である。
【図７】図７は、本発明の第２実施例の構成を示すブロック図である。
【図８】図８は、本発明の第２実施例の構成を示す内部正面図である。
【図９】図９は、本発明の第２実施例の構成の詳細を示す構造図である。
【図１０】図１０は、従来例を示したブロック図である。
【符号の説明】
【００５９】
１      本体
２      メダル預け口
４      ディスプレー
５      カード挿入口
１１    計数ホッパ
１３    振分けホッパ
１４    メダルＢＯＸ
１４ａ    正規メダルＢＯＸ
１４ｂ    不正メダルＢＯＸ
１５      制御部
１７      ホストコントローラー
２０      シャッター
２０ａ    シャッター
２０ｂ    シャッター
２０ｃ    シャッター
３０      メダル通路
３０ａ    メダル通路
３０ｂ    メダル通路
３０ｃ    メダル通路
【図１】
2006065487.tif 000003
【図２】
2006065487.tif 000004
【図３】
2006065487.tif 000005
【図４】
2006065487.tif 000006
【図５】
2006065487.tif 000007
【図６】
2006065487.tif 000008
【図７】
2006065487.tif 000009
【図８】
2006065487.tif 000010
【図９】
2006065487.tif 000011
【図１０】
2006065487.tif 000012